(57)【要約】【課題】廃棄物として処分されているコーヒーかすや卵殻や茶かすを有効に利用して、家畜舎用床敷材を製造すること。【解決手段】本発明では、家畜舎の床に敷設する家畜舎用床敷材の製造方法において、コーヒーかすを炭化した後に、常温まで冷却し、その後、粉末状の卵殻を混合し、粉末状の卵殻をコーヒーかすの細孔に含有させることにした。  また、本発明では、家畜舎の床に敷設する家畜舎用床敷材において、コーヒーかすを炭化した後に、常温まで冷却し、その後、粉末状の卵殻を混合し、粉末状の卵殻をコーヒーかすの細孔に含有させることにした。【選択図】図１
2009284911.tif 000002
【特許請求の範囲】
【請求項１】
家畜舎の床に敷設する家畜舎用床敷材の製造方法において、
コーヒーかすを炭化した後に、常温まで冷却し、その後、粉末状の卵殻を混合し、粉末状の卵殻をコーヒーかすの細孔に含有させることを特徴とする家畜舎用床敷材の製造方法。
【請求項２】
家畜舎の床に敷設する家畜舎用床敷材において、
コーヒーかすを炭化した後に、常温まで冷却し、その後、粉末状の卵殻を混合し、粉末状の卵殻をコーヒーかすの細孔に含有させたことを特徴とする家畜舎用床敷材。
【発明の詳細な説明】
【技術分野】
【０００１】
本発明は、家畜舎の床に敷設する家畜舎用床敷材及びその製造方法に関するものである。
【背景技術】
【０００２】
近年、コーヒー飲料の需要増大に伴って、コーヒー飲料の製造工場では、コーヒーかすが大量に排出されている。
【０００３】
このコーヒーかすは、ほとんどが産業廃棄物として焼却処分されているのが現状である。
【０００４】
一方、家畜舎の床に敷設する家畜舎用床敷材としては、微生物を含有させたものが知られている（たとえば、特許文献１参照。）。
【先行技術文献】
【特許文献】
【０００５】
【特許文献１】特開２００１−１１２３６５号公報
【発明の概要】
【発明が解決しようとする課題】
【０００６】
ところが、上記従来の家畜舎用床敷材は、微生物を含有させていたために、高価なものとなっていた。
【０００７】
一方、コーヒーかすは、産業廃棄物として処分されていたために、有効に利用されていなかった。
【０００８】
そこで、本発明では、従来有効利用されずに処分されていたコーヒーかすを主原料として家畜舎用床敷材として使用することにより、安価で通気性、吸水性、消臭性に優れた家畜舎用床敷材を提供するものである。
【課題を解決するための手段】
【０００９】
請求項１に係る本発明では、家畜舎の床に敷設する家畜舎用床敷材の製造方法において、コーヒーかすを炭化した後に、常温まで冷却し、その後、粉末状の卵殻を混合し、粉末状の卵殻をコーヒーかすの細孔に含有させることにした。
【００１０】
また、請求項２に係る本発明では、家畜舎の床に敷設する家畜舎用床敷材において、コーヒーかすを炭化した後に、常温まで冷却し、その後、粉末状の卵殻を混合し、粉末状の卵殻をコーヒーかすの細孔に含有させることにした。
【発明の効果】
【００１１】
そして、本発明では、以下に記載する効果を奏する。
【００１２】
すなわち、本発明では、コーヒーかすを炭化して用いているために、コーヒーかすの重量を軽減することができ容易かつ安価に運搬することができるとともに、特に炭化によりコーヒーかすの比表面積を増大させることができ、通気性、吸水性、消臭性に優れた家畜舎用床敷材とすることができる。また、混合により粉末状の卵殻が炭化したコーヒーかすの細孔に含有されるので、体積当りの重量を軽減することができ、これによっても運搬を容易かつ安価なものとすることができる。
【図面の簡単な説明】
【００１３】
【図１】家畜舎用床敷材の製造方法を示す模式図。
【発明を実施するための形態】
【００１４】
本発明に係る家畜舎用床敷材は、乾燥させたコーヒーかす又は炭化させたコーヒーかすを主原料としており、コーヒーかすだけで製造してもよく、また、コーヒーかすに茶かすや卵殻を混合して製造してもよい。以下に、本発明に係る家畜舎用床敷材の製造方法について説明する（図１参照。）。
【００１５】
まず、コーヒーかすを遠心分離機などを用いて脱水する脱水処理を行う。このときに、コーヒーかすと茶かすとを混合して同時に脱水して処理時間を短縮するようにしてもよく、また、コーヒーかすと茶かすとをそれぞれ別々に脱水してもよい。
【００１６】
次に、コーヒーかすを乾燥装置などを用いて乾燥する乾燥処理を行う。このときに、脱水したコーヒーかすに脱水した茶かすを混合して同時に乾燥して処理時間を短縮するようにしてもよく、また、コーヒーかすと茶かすとをそれぞれ別々に乾燥してもよい。この乾燥処理により、コーヒーかすや茶かすは粉末状になる。
【００１７】
或いは、コーヒーかすを炭化装置などを用いて600℃〜800℃で炭化する炭化処理を行う。このときに、脱水したコーヒーかすに脱水した茶かすを混合して同時に炭化して処理時間を短縮するようにしてもよく、また、コーヒーかすと茶かすとをそれぞれ別々に炭化してもよい。この炭化処理により、コーヒーかすや茶かすは粉末状になる。
【００１８】
次に、乾燥又は炭化したコーヒーかすを冷却装置などを用いて常温まで冷却する冷却処理を行う。このときに、冷却装置などを使用せずに放置することによる自然冷却を行うようにしてもよい。また、乾燥又は炭化したコーヒーかすに乾燥又は炭化した茶かすを混合して同時に冷却して処理時間を短縮するようにしてもよく、また、コーヒーかすと茶かすとを別々に冷却してもよい。
【００１９】
一方、卵殻を粉砕機などを用いて粉末状に粉砕する粉砕処理を行う。
【００２０】
そして、乾燥又は炭化した粉末状のコーヒーかすと茶かすとを混合するとともに、これに粉末状の卵殻を混合する混合処理を行う。ここで、混合比率は適宜設定する。
【００２１】
このように、乾燥又は炭化した粉末状のコーヒーかすやこのコーヒーかすと粉末状の卵殻とを混合した混合物、或いは、さらに乾燥又は炭化した粉末状の茶かすを混合した混合物は、そのまま袋詰めなどされて家畜舎用床敷材として使用される。
【００２２】
この家畜舎用床敷材は、牛や豚などの家畜の畜舎の床に敷き詰められて使用される。そして、家畜舎用床敷材は、乾燥又は炭化したコーヒーかすが消臭剤や糞尿の吸収剤として機能するとともに、粉末状の卵殻が中和剤や糞尿の凝集剤として機能し、乾燥又は炭化した茶かすが殺菌剤として機能する。そのため、家畜の畜舎を衛生的に維持することができる。
【００２３】
この家畜舎用床敷材は、使用中に家畜の糞尿が混合するが、そのまま回収して、土壌改良材の原料として有効利用することができる。
【００２４】
すなわち、使用により家畜の糞尿を吸収した家畜舎用床敷材を乾燥する乾燥処理を行い、それをそのまま袋詰めなどして土壌改良材として使用できる。なお、乾燥処理は、高温加熱による乾燥でもよく、天日干しなどによる自然乾燥でもよい。また、乾燥後は、再び家畜舎用床敷材としても使用することができ、複数回家畜舎用床敷材として使用した後に土壌改良材として使用することもできる。
【００２５】
以上に説明したように、本発明に係る家畜舎用床敷材では、従来廃棄物として処分されていたコーヒーかすや卵殻や茶かすを有効に循環して再利用することができる。
【００２６】
特に、本発明に係る家畜舎用床敷材では、コーヒーかすを乾燥又は炭化して使用している。そのため、コーヒーかすの重量を軽減することができ容易かつ安価に運搬することができる。また、炭化によりコーヒーかすの比表面積を約200m2／gにまで増大させることができ、通気性、吸水性、消臭性に優れた家畜舎用床敷材とすることができる。
【００２７】
しかも、本発明に係る家畜舎用床敷材では、乾燥又は炭化したコーヒーかすに粉末状の卵殻を混合しているために、卵殻の主成分であるカルシウムによる中和剤や凝集剤としての機能を発揮する家畜舎用床敷材とすることができる。また、混合により粉末状の卵殻が炭化したコーヒーかすの細孔に含有されるので、体積当りの重量を軽減することができ、これによっても運搬を容易かつ安価なものとすることができる。
【００２８】
また、本発明に係る家畜舎用床敷材に乾燥又は炭化した茶かすを混合した場合には、コーヒーかすと同様に茶かすも重量の軽減や比表面積の増大を図ることができるとともに、茶かすに含有されるカテキンによる殺菌剤としての機能を発揮する家畜舎用床敷材とすることができる。
【００２９】
さらに、本発明に係る家畜舎用床敷材では、使用により家畜の糞尿を吸収した家畜舎用床敷材を乾燥して土壌改良材を生成することもでき、この場合には、糞尿を肥料化することができ、肥料としての効果を発揮する土壌改良材とすることができる。
【図１】
2009284911.tif 000003